(57)【要約】【課題】支線側装置を管理すること。【解決手段】少なくとも１つの支線側装置と前記支線側装置を集約する局側装置とを有する伝送システムにおいて、前記局側装置は、前記局側装置から前記支線側装置への主信号の送信に用いられるフレームのヘッダ領域に第１制御情報を記述する第１転送フレーム記述部と、前記ヘッダ領域に前記第１制御情報が記述された第１主信号を前記支線側装置へ送信する局側送信部と、を備え、前記支線側装置は、前記局側装置から送信された前記第１主信号を受信する支線側受信部と、前記第１主信号に記述された前記第１制御情報に基づいて動作する動作部と、を備える。【選択図】図３
2019125970.tif 000002
【特許請求の範囲】
【請求項１】
少なくとも１つの支線側装置と前記支線側装置を集約する局側装置とを有する伝送システムであって、
前記局側装置は、
前記局側装置から前記支線側装置への主信号の送信に用いられるフレームのヘッダ領域に第１制御情報を記述する第１転送フレーム記述部と、
前記ヘッダ領域に前記第１制御情報が記述された第１主信号を前記支線側装置へ送信する局側送信部と、
を備え、
前記支線側装置は、
前記局側装置から送信された前記第１主信号を受信する支線側受信部と、
前記第１主信号に記述された前記第１制御情報に基づいて動作する動作部と、
を備える伝送システム。
【請求項２】
前記支線側装置は、
前記支線側装置から前記局側装置への主信号の送信に用いられるフレームのヘッダ領域に第２制御情報を記述する第２転送フレーム記述部と、
前記ヘッダ領域に前記第２制御情報が記述された第２主信号を前記局側装置へ送信する支線側送信部と、
をさらに備え、
前記局側装置は、
前記支線側装置から送信された第２主信号を受信する局側受信部、
をさらに備える請求項１に記載の伝送システム。
【請求項３】
前記第２制御情報は、前記支線側装置においてＲＴＬ（レジスタ転送レベル）で処理されるレジスタ情報を含む
請求項２に記載の伝送システム。
【請求項４】
少なくとも１つの支線側装置と前記支線側装置を集約する局側装置とを有する伝送システムであって、
前記局側装置は、
上位の機能部から送信された、第1制御情報と制御対象の装置を示す識別情報とを受信する制御情報受信部と、
前記識別情報に基づく前記制御対象の装置が自己の局側装置である場合、前記第１制御情報に基づいて前記自己の局側装置を制御する局側制御部と、
前記識別情報に基づく前記制御対象の装置が前記支線側装置である場合、前記局側装置から前記支線側装置への主信号の送信に用いられるフレームのヘッダ領域に前記第１制御情報を記述する第１転送フレーム記述部と、
前記ヘッダ領域に前記第１制御情報が記述された第１主信号を前記制御対象の装置である前記支線側装置へ送信する局側送信部と、
を備え、
前記支線側装置は、
前記局側装置から送信された前記第１主信号を受信する支線側受信部と、
前記第１主信号に記述された前記第１制御情報に基づいて動作する動作部と、
を備える伝送システム。
【請求項５】
前記支線側装置は、
前記支線側装置から前記局側装置への主信号の送信に用いられるフレームのヘッダ領域に前記自己の支線側装置が記憶する制御情報である支線側制御情報を記述する第２転送フレーム記述部と、
前記ヘッダ領域に前記支線側制御情報が記述された第２主信号を前記局側装置へ送信する支線側送信部と、
をさらに備え、
前記局側装置は、
前記支線側装置から送信された前記第２主信号を受信する局側受信部と、
前記第２主信号に記述された前記支線側制御情報と前記第２主信号を送信した前記支線側装置を識別する支線側識別情報との組み合わせ、及び、前記自己の局側装置が記憶する制御情報である局側制御情報と前記自己の局側装置を識別する局側識別情報との組み合わせ、のうち少なくとも１つを、前記上位の機能部へ送信する収集情報送信部と、
をさらに備える請求項４に記載の伝送システム。
【請求項６】
制御対象の装置が前記局側装置である場合、前記局側装置へ前記第１制御情報と前記識別情報とを送信し、制御対象の装置が前記支線側装置である場合、前記支線側装置と通信接続する前記局側装置へ前記第１制御情報と前記識別情報とを送信する制御情報送信部と、
前記局側装置から送信された、前記支線側制御情報と前記支線側識別情報との組み合わせ、及び、前記局側制御情報と前記局側識別情報との組み合わせ、のうち少なくとも１つを取得する収集情報受信部と、
を備える前記上位の機能部、
をさらに有する請求項５に記載の伝送システム。
【請求項７】
少なくとも１つの支線側装置と前記支線側装置を集約する局側装置とを有する伝送システムによる伝送装置管理方法であって、
前記局側装置から前記支線側装置への主信号の送信に用いられるフレームのヘッダ領域に制御情報を記述する転送フレーム記述ステップと、
前記ヘッダ領域に前記制御情報が記述された主信号を前記支線側装置へ送信する局側送信ステップと、
前記局側装置から送信された前記主信号を受信する支線側受信ステップと、
前記主信号に記述された前記制御情報に基づいて動作する動作ステップと、
を有する伝送装置管理方法。
【請求項８】
少なくとも１つの支線側装置と前記支線側装置を集約する局側装置とを有する伝送システムによる伝送装置管理方法であって、
上位の機能部から送信された、制御情報と制御対象の装置を識別する識別情報とを受信する制御情報受信ステップと、
前記識別情報に基づく前記制御対象の装置が自己の局側装置である場合、前記制御情報に基づいて前記自己の局側装置を制御する局側制御ステップと、
前記識別情報に基づく前記制御対象の装置が前記支線側装置である場合、前記局側装置から前記支線側装置への主信号の送信に用いられるフレームのヘッダ領域に前記制御情報を記述する転送フレーム記述ステップと、
前記ヘッダ領域に前記制御情報が記述された主信号を前記制御対象の装置である前記支線側装置へ送信する局側送信ステップと、
前記局側装置から送信された前記主信号を受信する支線側受信ステップと、
前記主信号に記述された前記制御情報に基づいて動作する動作ステップと、
を有する伝送装置管理方法。
【発明の詳細な説明】
【技術分野】
【０００１】
本発明は、伝送システム及び伝送装置管理方法に関する。
【背景技術】
【０００２】
伝送装置には、広範囲に設置された複数の支線側装置と、これら支線側装置を集約する局側装置とがある。従来、局側装置及び支線側装置は、それぞれが例えばＣＰＵ（Central Processing Unit：中央演算処理装置）等のプロセッサを搭載し、それぞれが装置管理用のネットワーク（以下「装置管理用ネットワーク」という。）に接続する。これにより、局側装置と支線側装置との間の通信における制御情報の送受信が行われる（例えば、特許文献１）。
【先行技術文献】
【特許文献】
【０００３】
【特許文献１】特開２０１１−２４９８８４号公報
【発明の概要】
【発明が解決しようとする課題】
【０００４】
ところで、局側装置は主に局内に設置されるのに対して、支線側装置は、運用コスト削減のため、あるいは設置場所における制約によって、屋外に設置される場合がある。この場合、例えば、支線側装置が幅広い温度変化に対応可能でなければならないという制約がある等、支線側装置の設計上の制約が厳しくなる。この制約によって、支線側装置にはプロセッサを搭載することが困難である場合がある。
【０００５】
また、例えば、支線側装置が、側装置から遠く離れた地点に設置されている場合等、そもそも装置管理用ネットワークへ接続することができない環境に設置されている場合がある。
【０００６】
このような場合には、支線側装置の管理（監視及び制御等）を行うことができないことがあるという課題があった。
【０００７】
本発明は、このような事情を考慮してなされたものであり、支線側装置がプロセッサを搭載していない場合及び支線側装置が装置管理用ネットワークへ接続することができない環境に設置されている場合のうち少なくとも一方であっても、支線側装置を管理することができる伝送システム及び伝送装置管理方法を提供することを目的とする。
【課題を解決するための手段】
【０００８】
本発明の一態様は、少なくとも１つの支線側装置と前記支線側装置を集約する局側装置とを有する伝送システムであって、前記局側装置は、前記局側装置から前記支線側装置への主信号の送信に用いられるフレームのヘッダ領域に第１制御情報を記述する第１転送フレーム記述部と、前記ヘッダ領域に前記第１制御情報が記述された第１主信号を前記支線側装置へ送信する局側送信部と、を備え、前記支線側装置は、前記局側装置から送信された前記第１主信号を受信する支線側受信部と、前記第１主信号に記述された前記第１制御情報に基づいて動作する動作部と、を備える伝送システムである。
【０００９】
また、本発明の一態様は、上記の伝送システムであって、前記支線側装置は、前記支線側装置から前記局側装置への主信号の送信に用いられるフレームのヘッダ領域に第２制御情報を記述する第２転送フレーム記述部と、前記ヘッダ領域に前記第２制御情報が記述された第２主信号を前記局側装置へ送信する支線側送信部と、をさらに備え、前記局側装置は、前記支線側装置から送信された第２主信号を受信する局側受信部、をさらに備える。
【００１０】
また、本発明の一態様は、上記の伝送システムであって、前記第２制御情報は、前記支線側装置においてＲＴＬ（レジスタ転送レベル）で処理されるレジスタ情報を含む。
【００１１】
また、本発明の一態様は、少なくとも１つの支線側装置と前記支線側装置を集約する局側装置とを有する伝送システムであって、前記局側装置は、上位の機能部から送信された、第1制御情報と制御対象の装置を示す識別情報とを受信する制御情報受信部と、前記識別情報に基づく前記制御対象の装置が自己の局側装置である場合、前記第１制御情報に基づいて前記自己の局側装置を制御する局側制御部と、前記識別情報に基づく前記制御対象の装置が前記支線側装置である場合、前記局側装置から前記支線側装置への主信号の送信に用いられるフレームのヘッダ領域に前記第１制御情報を記述する第１転送フレーム記述部と、前記ヘッダ領域に前記第１制御情報が記述された第１主信号を前記制御対象の装置である前記支線側装置へ送信する局側送信部と、を備え、前記支線側装置は、前記局側装置から送信された前記第１主信号を受信する支線側受信部と、前記第１主信号に記述された前記第１制御情報に基づいて動作する動作部と、を備える伝送システムである。
【００１２】
また、本発明の一態様は、上記の伝送システムであって、前記支線側装置は、前記支線側装置から前記局側装置への主信号の送信に用いられるフレームのヘッダ領域に前記自己の支線側装置が記憶する制御情報である支線側制御情報を記述する第２転送フレーム記述部と、前記ヘッダ領域に前記支線側制御情報が記述された第２主信号を前記局側装置へ送信する支線側送信部と、をさらに備え、前記局側装置は、前記支線側装置から送信された前記第２主信号を受信する局側受信部と、前記第２主信号に記述された前記支線側制御情報と前記第２主信号を送信した前記支線側装置を識別する支線側識別情報との組み合わせ、及び、前記自己の局側装置が記憶する制御情報である局側制御情報と前記自己の局側装置を識別する局側識別情報との組み合わせ、のうち少なくとも１つを、前記上位の機能部へ送信する収集情報送信部と、をさらに備える。
【００１３】
また、本発明の一態様は、上記の伝送システムであって、制御対象の装置が前記局側装置である場合、前記局側装置へ前記第１制御情報と前記識別情報とを送信し、制御対象の装置が前記支線側装置である場合、前記支線側装置と通信接続する前記局側装置へ前記第１制御情報と前記識別情報とを送信する制御情報送信部と、前記局側装置から送信された、前記支線側制御情報と前記支線側識別情報との組み合わせ、及び、前記局側制御情報と前記局側識別情報との組み合わせ、のうち少なくとも１つを取得する収集情報受信部と、を備える前記上位の機能部、をさらに有する。
【００１４】
また、本発明の一態様は、少なくとも１つの支線側装置と前記支線側装置を集約する局側装置とを有する伝送システムによる伝送装置管理方法であって、前記局側装置から前記支線側装置への主信号の送信に用いられるフレームのヘッダ領域に制御情報を記述する転送フレーム記述ステップと、前記ヘッダ領域に前記制御情報が記述された主信号を前記支線側装置へ送信する局側送信ステップと、前記局側装置から送信された前記主信号を受信する支線側受信ステップと、前記主信号に記述された前記制御情報に基づいて動作する動作ステップと、を有する伝送装置管理方法である。
【００１５】
また、本発明の一態様は、少なくとも１つの支線側装置と前記支線側装置を集約する局側装置とを有する伝送システムによる伝送装置管理方法であって、上位の機能部から送信された、制御情報と制御対象の装置を識別する識別情報とを受信する制御情報受信ステップと、前記識別情報に基づく前記制御対象の装置が自己の局側装置である場合、前記制御情報に基づいて前記自己の局側装置を制御する局側制御ステップと、前記識別情報に基づく前記制御対象の装置が前記支線側装置である場合、前記局側装置から前記支線側装置への主信号の送信に用いられるフレームのヘッダ領域に前記制御情報を記述する転送フレーム記述ステップと、前記ヘッダ領域に前記制御情報が記述された主信号を前記制御対象の装置である前記支線側装置へ送信する局側送信ステップと、前記局側装置から送信された前記主信号を受信する支線側受信ステップと、前記主信号に記述された前記制御情報に基づいて動作する動作ステップと、を有する伝送装置管理方法である。
【発明の効果】
【００１６】
本発明によれば、支線側装置がプロセッサを搭載していない場合及び支線側装置が装置管理用ネットワークへ接続することができない環境に設置されている場合のうち少なくとも一方であっても、支線側装置を管理することができる。
【図面の簡単な説明】
【００１７】
【図１】従来の伝送システムのシステム構成を示すブロック図である。
【図２】従来の伝送システムによる制御情報の伝送処理を示す図である。
【図３】第１の実施形態に係る伝送システムのシステム構成を示すブロック図である。
【図４】第１の実施形態に係る伝送システムによる制御情報の伝送処理を示す図である。
【図５】第１の実施形態に係る伝送システムの動作を示すフローチャートである。
【図６】第１の実施形態に係る伝送システムのハードウェア構成の一例を示す図である。
【図７】従来の伝送システムのシステム構成を示すブロック図である。
【図８】第２の実施形態に係る伝送システムのシステム構成を示すブロック図である。
【図９】第２の実施形態に係る伝送システムの動作を示すフローチャートである。
【発明を実施するための形態】
【００１８】
＜第１の実施形態＞
以下、本発明の第１の実施形態について、図面を参照しながら説明する。
第１の実施形態に係る伝送システムの構成の特徴をより分かり易くするため、まず、従来の伝送システムの構成について先に説明する。
【００１９】
［従来の伝送システムの構成］
以下、図１及び図２を参照しながら、従来の伝送システム５のシステム構成と、従来の伝送システム５による制御情報の伝送処理について説明する。
【００２０】
図１は、従来の伝送システム５のシステム構成を示すブロック図である。図１に示すように、伝送システム５は、局側装置５０と、支線側装置６０と、光伝送路９０と、装置管理用ネットワーク９５と、を含んで構成される。
なお、局側装置５０は、少なくとも１つの支線側装置６０を集約する装置であり、実際の構成は、局側装置５０に対して少なくとも１つの支線側装置６０が接続される構成である。ここでは説明を簡単にするため、図１には支線側装置６０を１つのみ記載している。
【００２１】
図１に示すように、従来の伝送システム５においては、局側装置５０と支線側装置６０との間の情報の送受信は、通信用の主信号は光伝送路９０を介して、及び、制御情報は装置管理用ネットワーク９５を介して、それぞれ行われる。
【００２２】
図２は、従来の伝送システム５による制御情報の伝送処理を示す図である。
まず、局側装置５０から支線側装置６０へ制御情報を送信して、局側装置５０が支線側装置６０を制御する場合について説明する。ここでいう制御情報とは、例えば、支線側装置６０の各デバイス（動作部）（例えば、広帯域送受信器６２、ギアボックス６３及び送受信器６４等）の動作を指示する情報である。
【００２３】
局側装置５０の制御部５１の網管理・制御アプリケーション５１３は、支線側装置６０を制御するための制御情報を、装置管理用ネットワーク９５を介して支線側装置６０へ送信する。支線側装置６０の制御部６１の網管理・制御アプリケーション６１３は、局側装置５０から送信された制御情報を受信する。網管理・制御アプリケーション６１３は、ネットワークＯＳ（オペレーティングシステム）６１２に含まれるドライバ及びＣＰＵ６１１を介して各デバイスの記憶領域に記憶されたレジスタ情報を、受信した制御情報に基づいて書き換える。ここでいう各デバイスとは、例えば、広帯域送受信器６２、ギアボックス６３及び送受信器６４である。なお、図２においては、一例として広帯域送受信器６２を図示している。
これにより、支線側装置６０の制御がなされる。
【００２４】
次に、支線側装置６０から局側装置５０へ制御情報を送信して、支線側装置が局側装置へ情報を提供する場合について説明する。ここでいう制御情報とは、例えば、支線側装置６０における警報情報及びログ情報等の情報である。
【００２５】
支線側装置６０の制御部６１の網管理・制御アプリケーション６１３は、局側装置５０へ提供するための制御情報を、ネットワークＯＳ（オペレーティングシステム）６１２に含まれるドライバ及びＣＰＵ６１１を介して、自己の支線側装置６０が備える各デバイスの記憶領域から収集する。ここでいう各デバイスとは、例えば、広帯域送受信器６２、ギアボックス６３及び送受信器６４である。なお、図２においては、一例として広帯域送受信器６２を図示している。また、図２においては、記憶領域の一例としてデバイスレジスタ６２２を図示している。
【００２６】
支線側装置６０の制御部６１の網管理・制御アプリケーション６１３は、収集した制御情報を、装置管理用ネットワーク９５を介して局側装置５０へ送信する。局側装置５０の制御部５１の網管理・制御アプリケーション５１３は、支線側装置６０から送信された制御情報を受信する。
これにより、支線側装置６０からの制御情報の収集がなされる。
【００２７】
［伝送システムの構成］
以下に説明する第１の実施形態に係る伝送システム１は、システム設計上の制約から、支線側装置２０にＣＰＵ等のプロセッサを搭載することができない場合にも適用可能なシステムである。
以下、図３及び図４を参照しながら、本発明の第１の実施形態に係る伝送システム１のシステム構成と、伝送システム１による制御情報の伝送処理について説明する。
【００２８】
図３は、第１の実施形態に係る伝送システムのシステム構成を示すブロック図である。図３に示すように、伝送システム１は、局側装置１０と、支線側装置２０と、光伝送路９０と、を含んで構成される。
なお、局側装置１０は、少なくとも１つの支線側装置２０を集約する装置であり、実際の構成は、局側装置１０に対して少なくとも１つの支線側装置２０が接続される構成である。ここでは説明を簡単にするため、図１には支線側装置２０を１つのみ記載している。
【００２９】
第１の実施形態に係る伝送システム１においては、上述した従来の伝送システム５とは異なり、制御信号は、通信用の信号の主信号の中に含められ、局側装置１０と支線側装置２０との間において送受信される。
【００３０】
図４は、第１の実施形態に係る伝送システム１による制御情報の伝送処理を示す図である。
まず、局側装置１０から支線側装置２０へ制御情報を送信して、局側装置１０が支線側装置２０を制御する場合について説明する。ここでいう制御情報とは、例えば、支線側装置２０の各デバイス（例えば、広帯域送受信器２２、ギアボックス２３及び送受信器２４等）の動作を指示する情報である。
【００３１】
局側装置１０の制御部１１の網管理・制御アプリケーション１１３は、支線側装置２０を制御するための制御情報をレジスタ書き換え情報（第１制御情報）に変換する。ここでいうレジスタ書き換え情報とは、支線側装置２０が備える各デバイスのデバイスレジスタ（図４においては、一例として広帯域送受信器２２及びデバイスレジスタ２２２を図示）に記憶されたレジスタ情報を書き換える情報である。
網管理・制御アプリケーション１１３は、ネットワークＯＳ１１２のドライバ及びＣＰＵ１１１を介して広帯域送受信器１２の転送フレーム記述部１２１を制御する。
【００３２】
局側装置１０の広帯域送受信器１２（局側送信部及び局側受信部）の転送フレーム記述部１２１（第１転送フレーム記述部）は、上記のレジスタ書き換え情報を、主信号として使うフレームのヘッダ領域に記述する。ここでいうヘッダ領域とは、例えば、ＯＴＮ（Optical Transport Network：光伝達網）のヘッダのリザーブ領域又はＥｔｈｅｒｎｅｔ（登録商標）のヘッダのタイプ領域等である。転送フレーム記述部１２１は、フレームのヘッダ領域にレジスタ書き換え情報が記述された主信号（第１主信号）を、光伝送路９０を介して支線側装置２０へ送信する。
【００３３】
支線側装置２０の広帯域送受信器２２（支線側送信部及び支線側受信部）の転送フレーム記述部２２１は、局側装置１０から送信された主信号を受信する。転送フレーム記述部２２１は、受信した主信号のフレームのヘッダ領域に記述されたレジスタ書き換え情報によって、制御対象のデバイスの記憶領域に記憶されたレジスタ情報を書き換える。ここでいう各デバイスとは、例えば、広帯域送受信器２２、ギアボックス２３及び送受信器２４である。なお、図４においては、一例として広帯域送受信器２２を図示している。また、図２においては、記憶領域の一例としてデバイスレジスタ２２２を図示している。
これにより、支線側装置２０の制御がなされる。
【００３４】
なお、制御情報は、例えば、支線側装置２０の各デバイス（動作部）の記憶領域に記憶されたレジスタ情報の読み込みを要求する情報であるレジスタ読み込み要求情報であってもよい。この場合、転送フレーム記述部２２１は、受信した主信号のフレームのヘッダ領域に記述されたレジスタ読み込み要求情報に基づいて、制御対象のデバイスの記憶領域に記憶されたレジスタ情報を読み込む。
【００３５】
次に、支線側装置２０から局側装置１０へ制御情報（レジスタ情報）を送信して、支線側装置２０が局側装置１０へ情報を提供する場合について説明する。なお、ここでいう制御情報（レジスタ情報）とは、レジスタ情報の書き換えを行う場合には、書き換え結果を示す情報（例えば、書き換えの成否を示す情報又は書き換え後の値など）である。また、レジスタ値の読み込みを行う場合には、レジスタ値（例えば、支線側装置２０における警報情報及びログ情報など）である。
【００３６】
支線側装置２０の広帯域送受信器２２の転送フレーム記述部２２１（第２転送フレーム記述部）は、局側装置１０へ提供するためのレジスタ情報（第２制御情報）を、自己の支線側装置２０が備える各デバイスの記憶領域から収集する。ここでいう各デバイスとは、例えば、広帯域送受信器２２、ギアボックス２３及び送受信器２４である。なお、図４においては、一例として広帯域送受信器２２を図示している。また、図４においては、記憶領域の一例としてデバイスレジスタ２２２を図示している。
【００３７】
支線側装置２０の広帯域送受信器２２の転送フレーム記述部２２１は、上記のレジスタ情報を、主信号として使うフレームのヘッダ領域に記述する。転送フレーム記述部２２１は、フレームのヘッダ領域にレジスタ情報が記述された主信号（第２主信号）を、光伝送路９０を介して局側装置１０へ送信する。
【００３８】
局側装置１０の広帯域送受信器１２の転送フレーム記述部１２１は、支線側装置２０から送信された主信号を受信する。
局側装置１０の制御部１１の網管理・制御アプリケーション１１３は、ネットワークＯＳ１１２のドライバ及びＣＰＵ１１１を介して、転送フレーム記述部１２１が受信した主信号のフレームのヘッダ領域に記述されたレジスタ情報を取得する。
これにより、支線側装置２０からの制御情報（レジスタ情報）の収集がなされる。
【００３９】
なお、主信号として使うフレームのヘッダ領域へレジスタ情報及びレジスタ書き換え情報を記述する機能は、広帯域送受信器１２及び広帯域送受信器２２が備える半導体内においてＲＴＬ（レジスタ転送レベル）で実装される。これにより、支線側装置２０には、ＣＰＵ等のプロセッサを搭載する必要がなくなる。
【００４０】
なお、第１の実施形態に係る伝送システム１のハードウェア構成の一例を図６に示す。
図６に示すように、局側装置１０は、接続する支線側装置２０ごとのプラグインカードを搭載する。プラグインカードは、ホストＣＰＵによって管理される。
また、各プラグインカードは、それぞれＤＳＰ（デジタルシグナルプロセッサ）とＣＯＳＡ（コヒーレントオプティカルサブアセンブリ）とを搭載する。上述した制御部１１及び広帯域送受信器１２は、例えば、これらのＤＳＰ及びＣＯＳＡによってそれぞれ構成される。
【００４１】
また、図６に示すように、支線側装置２０は、ＣＯＳＡ、ＤＳＰ及びギアボックス等を含んで構成される。上述した広帯域送受信器２２及び制御部２１は、例えば、これらのＣＯＳＡ及びＤＳＰによってそれぞれ構成される。
【００４２】
［伝送システムの動作］
以下、伝送システム１の動作の一例について説明する。
図５は、本発明の第１の実施形態に係る伝送システム１の動作を示すフローチャートである。
【００４３】
局側装置１０の広帯域送受信器１２の転送フレーム記述部１２１は、局側装置１０から支線側装置２０への主信号の送信に用いられるフレームのヘッダ領域に制御情報を記述する（ステップＳ１１）。
【００４４】
転送フレーム記述部１２１は、フレームのヘッダ領域に制御情報が記述された主信号を支線側装置２０へ送信する（ステップＳ１２）。
【００４５】
支線側装置２０の広帯域送受信器２２の転送フレーム記述部２２１は、局側装置１０から送信された主信号を受信する（ステップＳ１３）。
【００４６】
転送フレーム記述部２２１は、受信した主信号のフレームのヘッダ領域に記述された制御情報に基づいて、制御対象のデバイスを制御する（ステップＳ１４）。
【００４７】
具体的には、受信した主信号のフレームのヘッダ領域に記述された制御情報が、上述したレジスタ書き換え情報である場合、転送フレーム記述部２２１は、制御対象のデバイスの記憶領域に記憶されたレジスタ情報を書き換える。ここでいう各デバイスとは、上述したように、例えば、広帯域送受信器２２、ギアボックス２３及び送受信器２４である。また、受信した主信号のフレームのヘッダ領域に記述された制御情報が、制御対象のデバイスのデバイスレジスタに記憶されたレジスタ情報の読み込み要求を示すレジスタ読み込み要求情報である場合、転送フレーム記述部２２１は、制御対象のデバイスの記憶領域に記憶されたレジスタ情報を読み込む。
【００４８】
支線側装置２０の広帯域送受信器２２の転送フレーム記述部２２１は、支線側装置２０から局側装置１０への主信号の送信に用いられるフレームのヘッダ領域に制御情報を記述する（ステップＳ１５）。なお、ここでいう制御情報とは、レジスタ情報の書き換え時の場合には、書き換え結果を示す情報（例えば、書き換えの成否を示す情報又は書き換え後の値など）である。また、レジスタ値の読み込み時の場合には、レジスタ値（例えば、支線側装置２０における警報情報及びログ情報など）である。
【００４９】
転送フレーム記述部２２１は、フレームのヘッダ領域に制御情報が記述された主信号を局側装置１０へ送信する（ステップＳ１６）。
【００５０】
局側装置１０の広帯域送受信器１２の転送フレーム記述部１２１は、支線側装置２０から送信された主信号を受信する（ステップＳ１７）。
以上で、図５のフローチャートに示す動作が終了する。
【００５１】
なお、支線側装置２０から局側装置１０への返答が不要な場合など、支線側装置２０から局側装置１０への制御情報の送信が不要な場合には、ステップＳ１４までの処理で動作が終了する構成でもよい。
【００５２】
以上説明したように、第１の実施形態に係る伝送システム１によれば、支線側装置２０に、例えばＣＰＵ等のプロセッサを搭載する必要がなくなる。これにより、本発明の第１の実施形態に係る伝送システム１は、例えば、支線側装置２０が幅広い温度変化に対応可能でなければならないという制約等によってプロセッサを搭載することができない場合であっても、支線側装置２０を管理することができる。
【００５３】
＜第２の実施形態＞
上述した第１の実施形態に係る伝送システム１は、システム設計上の制約から、支線側装置２０にＣＰＵ等のプロセッサを搭載することができない場合を想定したシステムであった。一方、以下に説明する第２の実施形態に係る伝送システム３は、例えば支線側装置４０が遠方に設置されていることにより、支線側装置４０が装置管理用ネットワーク９５に通信接続できない場合にも適用可能なシステムである。
【００５４】
第２の実施形態に係る伝送システム３の構成の特徴をより分かり易くするため、まず、従来の伝送システム７の構成について先に説明する。
【００５５】
［従来の伝送システムの構成］
以下、図７を参照しながら、従来の伝送システム７のシステム構成について説明する。
【００５６】
図７は、従来の伝送システム７のシステム構成を示すブロック図である。図１に示すように、伝送システム７は、局側装置７０と、支線側装置８０と、光伝送路９０と、装置管理用ネットワーク９５と、を含んで構成される。
なお、局側装置７０は、少なくとも１つの支線側装置８０を集約する装置であり、実際の構成は、局側装置７０に対して少なくとも１つの支線側装置８０が接続される構成である。ここでは説明を簡単にするため、図７には支線側装置８０を１つのみ記載している。
【００５７】
図７に示すように、従来の伝送システム７においては、局側装置７０と支線側装置８０との間の情報の送受信は、通信用の主信号は光伝送路９０を介して行われる。また、局側装置７０を制御するための制御情報及び局側装置７０から収集される制御情報は、上位の装置に備えられた装置管理機能部７５と局側装置７０との間で、装置管理用ネットワーク９５を介して送受信される。
【００５８】
しかしながら、図７に示すように、支線側装置８０は装置管理用ネットワーク９５に通信接続することができない。そのため、支線側装置８０を制御するための制御情報及び支線側装置８０から収集される制御情報を、上位の装置に備えられた装置管理機能部７５と支線側装置８０との間において送受信することは、従来の伝送システム７においては困難であった。
【００５９】
［伝送システムの構成］
以下に説明する第２の実施形態に係る伝送システム３は、支線側装置４０が装置管理用ネットワーク９５に通信接続することができない場合にも適用可能なシステムである。
以下、図８を参照しながら、本発明の第２の実施形態に係る伝送システム３のシステム構成について説明する。
【００６０】
図８は、第２の実施形態に係る伝送システム３のシステム構成を示すブロック図である。図８に示すように、伝送システム３は、局側装置３０と、支線側装置４０と、光伝送路９０と、を含んで構成される。
【００６１】
なお、図８に示すように、第２の実施形態に係る伝送システム３は複数存在し、上位の装置が備える装置管理機能部３５と各伝送システム３の局側装置３０とが、それぞれ装置管理用ネットワーク９５によって通信接続している。
なお、局側装置３０は、少なくとも１つの支線側装置４０を集約する装置であり、実際の構成は、局側装置３０に対して少なくとも１つの支線側装置４０が接続される構成である。ここでは説明を簡単にするため、図８には、１つの局側装置３０に対して、それぞれ支線側装置４０を１つずつ記載している。
【００６２】
なお、装置管理機能部７５は、上位の装置ではなく、特定の局側装置３０等に備えられていてもよい。
【００６３】
まず、装置管理機能部３５から局側装置３０及び支線側装置４０へ制御情報を送信して、局側装置３０及び支線側装置４０を制御する場合について説明する。ここでいう制御情報とは、例えば、局側装置３０及び支線側装置４０の各デバイス（動作部）（例えば、広帯域送受信器３２、広帯域送受信器４２、ギアボックス４３及び送受信器４４等）の動作を指示する情報である。
【００６４】
装置管理機能部３５の制御指示部３８は、局側装置３０及び支線側装置２０を制御するための制御情報と、制御対象の装置を識別する識別情報とを、伝送システム３へ送信する。このとき、制御対象の装置が局側装置３０である場合、制御指示部３８は、制御対象である局側装置３０へ制御情報と識別情報とを送信する。また、制御対象の装置が支線側装置４０である場合、制御指示部３８（制御情報送信部）は、制御対象である支線側装置４０を集約する局側装置３０へ制御情報と識別情報とを送信する。
【００６５】
局側装置３０の制御部３１（制御情報受信部）は、制御指示部３８から送信された制御情報と識別情報とを受信する。局側装置３０の制御部３１は、受信した識別情報に基づいて、受信した制御情報が制御対象とする装置を判別する。局側装置３０の制御部３１（局側制御部）は、受信した識別情報が自己の局側装置３０の識別情報（局側識別情報）である場合、制御対象のデバイス（例えば、自己の局側装置３０が備える広帯域送受信器３２）に対して制御情報を適用する（例えば、レジスタ情報を書き換える）。
これにより、局側装置３０の制御がなされる。
【００６６】
なお、第２の実施形態に係る伝送システム３による、局側装置３０と支線側装置４０との間の制御情報の伝送処理については、図４に示した第１の実施形態に係る伝送システム１による制御情報の伝送処理と同様である。
【００６７】
受信した識別情報が支線側装置４０の識別情報（支線側識別情報）である場合、局側装置３０の制御部３１の網管理・制御アプリケーションは、支線側装置４０を制御するための制御情報をレジスタ書き換え情報に変換する。
制御部３１の網管理・制御アプリケーションは、ネットワークＯＳのドライバ及びＣＰＵを介して広帯域送受信器３２の転送フレーム記述部を制御する。
【００６８】
局側装置３０の広帯域送受信器３２の転送フレーム記述部は、上記のレジスタ書き換え情報を、主信号として使うフレームのヘッダ領域に記述する。ここでいうヘッダ領域とは、例えば、ＯＴＮのヘッダのリザーブ領域又はＥｔｈｅｒｎｅｔ（登録商標）のヘッダのタイプ領域等である。広帯域送受信器３２の転送フレーム記述部は、フレームのヘッダ領域にレジスタ書き換え情報が記述された主信号を、光伝送路９０を介して支線側装置４０へ送信する。
【００６９】
支線側装置４０の広帯域送受信器４２の転送フレーム記述部は、局側装置３０から送信された主信号を受信する。広帯域送受信器４２の転送フレーム記述部は、受信した主信号のフレームのヘッダ領域に記述されたレジスタ書き換え情報によって、制御対象のデバイスの記憶領域に記憶されたレジスタ情報を書き換える。
これにより、支線側装置４０の制御がなされる。
【００７０】
なお、制御情報は、例えば、支線側装置４０の各デバイス（動作部）の記憶領域に記憶されたレジスタ情報の読み込みを要求する情報であるレジスタ読み込み要求情報であってもよい。この場合、広帯域送受信器４２の転送フレーム記述部は、受信した主信号のフレームのヘッダ領域に記述されたレジスタ読み込み要求情報に基づいて、制御対象のデバイスの記憶領域に記憶されたレジスタ情報を読み込む。
【００７１】
次に、支線側装置４０及び局側装置３０から装置管理機能部３５へ制御情報（レジスタ情報）を送信して、支線側装置４０及び局側装置３０から装置管理機能部３５へ情報を提供する場合について説明する。なお、ここでいう制御情報（レジスタ情報）とは、レジスタ情報の書き換え時の場合には、書き換え結果を示す情報（例えば、書き換えの成否を示す情報又は書き換え後の値など）である。また、レジスタ値の読み込み時の場合には、レジスタ値（例えば、支線側装置２０における警報情報及びログ情報など）である。
【００７２】
支線側装置４０の広帯域送受信器４２の転送フレーム記述部は、局側装置３０へ提供するためのレジスタ情報を、自己の支線側装置４０が備える各デバイスの記憶領域から収集する。ここでいう各デバイスとは、例えば、広帯域送受信器４２、ギアボックス４３及び送受信器４４である。
【００７３】
支線側装置４０の広帯域送受信器４２の転送フレーム記述部は、上記のレジスタ情報を、主信号として使うフレームのヘッダ領域に記述する。広帯域送受信器４２の転送フレーム記述部は、フレームのヘッダ領域にレジスタ情報が記述された主信号を、光伝送路９０を介して局側装置３０へ送信する。
【００７４】
局側装置３０の広帯域送受信器３２の転送フレーム記述部は、支線側装置４０から送信された主信号を受信する。
局側装置３０の制御部３１の網管理・制御アプリケーションは、ネットワークＯＳのドライバ及びＣＰＵを介して、制御部３１の転送フレーム記述部が受信した主信号のフレームのヘッダ領域に記述されたレジスタ情報を取得する。
【００７５】
局側装置３０の制御部３１（収集情報送信部）は、支線側装置２０から取得したレジスタ情報（支線側制御情報）を、装置管理用ネットワーク９５を介して装置管理機能部３５へ送信する。
装置管理機能部３５の情報収集部３６は、局側装置３０から送信された制御情報を受信する。これにより、支線側装置４０からの制御情報（レジスタ情報）の収集がなされる。
【００７６】
局側装置３０の制御部３１の網管理・制御アプリケーションは、装置管理機能部３５へ提供するための制御情報を、ネットワークＯＳに含まれるドライバ及びＣＰＵを介して、自己の局側装置３０が備える各デバイスの記憶領域から収集する。ここでいう各デバイスとは、例えば、広帯域送受信器３２である。
【００７７】
局側装置３０の制御部３１の網管理・制御アプリケーションは、収集した制御情報（局側制御情報）を、装置管理用ネットワーク９５を介して装置管理機能部３５へ送信する。
装置管理機能部３５の情報収集部３６（収集情報受信部）は、局側装置３０から送信された制御情報を受信する。これにより、局側装置３０からの制御情報の収集がなされる。
【００７８】
装置管理機能部３５の情報解析部３７は、収集された制御情報（情報収集部３６が受信した制御情報）に基づいて、局側装置３０及び支線側装置４０の動作状態を判定する。
【００７９】
なお、制御情報にレジストリ情報が含まれている場合には、光伝送路９０の伝送状態、例えば、ＯＳＮＲ（Optical Signal to Noise Ratio：光信号対雑音比）及び波長分散等の推定や経時変化の解析も可能になる。これらの解析情報ならびにオペレータからの指示等によるパス設定要求（例えば、伝送方式・容量の変更等の要求）に基づいて、次の制御指示内容の決定がなされる。
【００８０】
装置管理機能部３５の制御指示部３８は、情報解析部３７によって決定された制御指示内容を示す制御情報を、制御対象の局側装置３０及び支線側装置４０へ向けて送信する。
【００８１】
なお、制御指示部３８は、制御対象の装置が装置管理用ネットワーク９５に通信接続可能な支線側装置である場合には、制御指示部３８は、局側装置３０を経由することなく、制御対象の支線側装置へ直接、制御情報を送信する構成であってよい。
【００８２】
［伝送システムの動作］
以下、伝送システム３の動作の一例について説明する。
図９は、本発明の第２の実施形態に係る伝送システム３の動作を示すフローチャートである。
【００８３】
局側装置３０の制御部３１は、装置管理機能部７５から送信された、制御情報と制御対象の装置を識別する識別情報とを受信する（ステップＳ２１）。
【００８４】
受信した識別情報に基づく制御対象の装置が自己の局側装置３０である場合（ステップＳ２２・ＹＥＳ）、局側装置３０の制御部３１は、受信した制御情報に基づいて自己の局側装置３０が備える制御対象のデバイスを制御する（ステップＳ２３）。
【００８５】
受信した識別情報に基づく制御対象の装置が支線側装置４０である場合（ステップＳ２２・ＮＯ）、局側装置３０の制御部３１は、局側装置３０から支線側装置４０への主信号の送信に用いられるフレームのヘッダ領域に制御情報を記述する（ステップＳ２４）。
【００８６】
局側装置３０の広帯域送受信器３２は、ヘッダ領域に制御情報が記述された主信号を制御対象の装置である支線側装置４０へ送信する（ステップＳ２５）。
【００８７】
支線側装置４０の広帯域送受信器４２は、局側装置３０から送信された主信号を受信する（ステップＳ２６）。
【００８８】
支線側装置４０の広帯域送受信器４２は、受信した主信号に記述された制御情報に基づいて自己の支線側装置４０が備える制御対象のデバイスを制御する（ステップＳ２７）。
【００８９】
具体的には、受信した主信号のフレームのヘッダ領域に記述された制御情報が、上述したレジスタ書き換え情報である場合、広帯域送受信器４２の転送フレーム記述部は、制御対象のデバイスの記憶領域に記憶されたレジスタ情報を書き換える。ここでいう各デバイスとは、上述したように、例えば、広帯域送受信器４２、ギアボックス４３及び送受信器４４である。また、受信した主信号のフレームのヘッダ領域に記述された制御情報が、制御対象のデバイスのデバイスレジスタに記憶されたレジスタ情報の読み込み要求を示すレジスタ読み込み要求情報である場合、広帯域送受信器４２は、制御対象のデバイスの記憶領域に記憶されたレジスタ情報を読み込む。
【００９０】
支線側装置４０の広帯域送受信器４２の転送フレーム記述部は、支線側装置４０から局側装置３０への主信号の送信に用いられるフレームのヘッダ領域に制御情報を記述する（ステップＳ２８）。なお、ここでいう制御情報とは、レジスタ情報の書き換え時の場合には、書き換え結果を示す情報（例えば、書き換えの成否を示す情報又は書き換え後の値など）である。また、レジスタ値の読み込み時の場合には、レジスタ値（例えば、支線側装置２０における警報情報及びログ情報など）である。
【００９１】
支線側装置４０の広帯域送受信器４２の転送フレーム記述部は、ヘッダ領域に制御情報が記述された主信号を制御対象の装置である局側装置３０へ送信する（ステップＳ２９）。
【００９２】
局側装置３０の広帯域送受信器３２の転送フレーム記述部は、支線側装置４０から送信された主信号を受信する（ステップＳ３０）。
【００９３】
局側装置３０の制御部３１は、受信した制御情報を集約する（ステップＳ３１）。なお、集約した制御情報は、例えば、制御結果を示す情報、レジストリ値又はログ情報などである。なお、局側装置３０の制御部３１は、集約した制御情報を装置管理機能部３５へすぐに送信しない場合には、集約した制御情報を局側装置３０にて一時的に保持する。
【００９４】
局側装置３０の制御部３１は、集約した制御情報を、装置管理用ネットワーク９５を介して装置管理機能部３５へ送信する（ステップＳ３２）。
以上で、図９のフローチャートに示す動作が終了する。
【００９５】
なお、支線側装置４０から局側装置３０への返答が不要な場合など、支線側装置４０から局側装置３０への制御情報の送信が不要な場合には、ステップＳ２８からステップＳ３２までの処理を省略する構成であってもよい。
【００９６】
以上説明したように、第２の実施形態に係る伝送システム３によれば、支線側装置４０が装置管理用ネットワーク９５に接続可能である必要がなくなる。これにより、本発明の第２の実施形態に係る伝送システム３は、例えば、支線側装置４０が局側装置３０から遠く離れた地点に設置されている場合等、支線側装置４０が装置管理用ネットワーク９５へ接続することができない環境に設置されている場合であっても、支線側装置４０を管理することができる。
【００９７】
なお、上述した実施形態における局側装置及び支線側装置の一部又は全部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。
なお、ここでいう「コンピュータシステム」とは、局側装置及び支線側装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００９８】
さらに「コンピュータ読み取り可能な記録媒体」とは、インターネット等のネットワークや電話回線等の通信回線を介してプログラムを送信する場合の通信回線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【００９９】
また、上述した実施形態における局側装置及び支線側装置の一部又は全部を、ＬＳＩ（Large Scale Integration）等の集積回路として実現してもよい。局側装置及び支線側装置の各機能ブロックは個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【符号の説明】
【０１００】
１…伝送システム、３…伝送システム、５…伝送システム、７…伝送システム、１０…局側装置、１１…制御部、１２…広帯域送受信器、２０…支線側装置、２２…広帯域送受信器、２３…ギアボックス、２４…送受信器、３０…局側装置、３１…制御部、３２…広帯域送受信器、３５…装置管理機能部、３６…情報収集部、３７…情報解析部、３８…制御指示部、４０…支線側装置、４２…広帯域送受信器、４３…ギアボックス、４４…送受信器、５０…局側装置、５１…制御部、６０…支線側装置、６１…制御部、６２…広帯域送受信器、６３…ギアボックス、６４…送受信器、７０…局側装置、７５…装置管理機能部、８０…支線側装置、９０…光伝送路、９５…装置管理用ネットワーク、１１１…ＣＰＵ、１１２…ネットワークＯＳ、１１３…網管理・制御アプリケーション、１２１…転送フレーム記述部、２２１…転送フレーム記述部、２２２…デバイスレジスタ、５１３…網管理・制御アプリケーション、６１１…ＣＰＵ、６１２…ネットワークＯＳ、６１３…網管理・制御アプリケーション、６２２…デバイスレジスタ
【図１】
2019125970.tif 000003
【図２】
2019125970.tif 000004
【図３】
2019125970.tif 000005
【図４】
2019125970.tif 000006
【図５】
2019125970.tif 000007
【図６】
2019125970.tif 000008
【図７】
2019125970.tif 000009
【図８】
2019125970.tif 000010
【図９】
2019125970.tif 000011